(57)【要約】【課題】  外部機器の状態を表す文字列情報を取り込み、これを文字列の形態で表示することができる表示装置を実現する。【解決手段】  外部機器より取得した数値データ、または数値を表す文字列データを変換した数値データを格納する数値データ格納／読み出し手段と、この数値データ格納／読み出し手段から読み出された数値を表示する数値データ表示手段とを具備する表示装置において、  前記外部機器より取得する、状態を表す数値データを文字列データに変換する文字列変換手段と、  変換された前記文字列データを表示する文字列データ表示手段と、を備える。【選択図】                    図１
2009265817.tif 000002
【特許請求の範囲】
【請求項１】
外部機器より取得した数値データ、または数値を表す文字列データを変換した数値データを格納する数値データ格納／読み出し手段と、この数値データ格納／読み出し手段から読み出された数値を表示する数値データ表示手段とを具備する表示装置において、
前記外部機器より取得する、状態を表す数値データを文字列データに変換する文字列変換手段と、
変換された前記文字列データを表示する文字列データ表示手段と、
を備えることを特徴とする表示装置。
【請求項２】
前記文字列変換手段は、数値とその数値が意味する状態を表す文字列の関係を定義する文字列変換テーブルを備えることを特徴とする請求項１に記載の表示装置。
【請求項３】
前記文字列変換テーブルの定義内容をユーザが任意に定義する設定手段を備えることを特徴とする請求項２に記載の表示装置。
【請求項４】
前記文字列変換テーブルは、前記外部機器より取得する、状態を表す文字列データを数値データに逆変換して前記数値データ格納／読み出し手段に渡すことを特徴とする請求項２または３に記載の表示装置。
【請求項５】
前記文字列変換テーブルの定義データと前記数値データ格納／読み出し手段の数値データを取得して保存する、外部記憶装置を備えることを特徴とする請求項１乃至４のいずれかに記載の表示装置。
【請求項６】
前記外部機器より取得する、波形情報を表示する波形表示手段を備えることを特徴とする請求項１乃至５のいずれかに記載の表示装置。
【請求項７】
前記外部機器の状態を表す文字列データと前記波形情報を同一画面に表示することを特徴とする請求項６に記載の表示装置。
【請求項８】
前記数値データ格納／読み出し手段または前記外部記憶装置からの読み出しデータに基づいて、過去の数値データ、文字列データ、波形情報の少なくともいずれかを表示することを特徴とする請求項５乃至７のいずれかに記載の表示装置。
【発明の詳細な説明】
【技術分野】
【０００１】
本発明は、外部機器より取得した数値データ、または数値を表す文字列データを変換した数値データを格納する数値データ格納／読み出し手段と、この数値データ格納／読み出し手段から読み出された数値を表示する数値データ表示手段とを具備する表示装置に関するものである。
【背景技術】
【０００２】
通信経由で外部機器よりデータを取得して表示する記録計等の表示装置では、通信経由で取り込んだデータを、メモリ等のデータ格納手段に保存すると共に、このデータ格納手段から読み出したデータ表示手段により画面に情報を表示する。
【０００３】
図７は、従来の表示装置の構成例を示す機能ブロック図である。表示装置は、外部機器１から数値データ２または数値を表す文字列データ３を取得する。数値データ２は、直接数値データ格納／読み出し手段４に格納される。数値を表す文字列（例：”1230”等）データ３は、数値変換手段５により数値データに変換され、メモリで構成される数値データ格納／読み出し手段４に格納される。
【０００４】
数値データ表示手段６は、数値データ格納／読み出し手段４に格納された数値データを読み出して、数値情報として表示する。
【０００５】
【特許文献１】特開２００５−６９７９７号公報
【発明の開示】
【発明が解決しようとする課題】
【０００６】
従来の表示装置の機能では、次のような問題がある。
（１）外部機器から取り込むことができる情報は、数値または数値を表す文字列のみである。従って、表示手段に表示できる内容は数値のみである。
【０００７】
（２）そのため、機器の状態を数値でしか表示することができず、直感的に判断することが難しかった。例えば、”0”がSTOP状態であり、”1”がRUN状態を表すことを意識する必要があった。
【０００８】
本発明は上述した問題点を解決するためになされたものであり、外部機器の状態を表す文字列情報を取り込み、これを文字列の形態で表示することができる表示装置の実現を目的としている。
【課題を解決するための手段】
【０００９】
このような課題を達成するために、本発明は次の通りの構成になっている。
（１）外部機器より取得した数値データ、または数値を表す文字列データを変換した数値データを格納する数値データ格納／読み出し手段と、この数値データ格納／読み出し手段から読み出された数値を表示する数値データ表示手段とを具備する表示装置において、
前記外部機器より取得する、状態を表す数値データを文字列データに変換する文字列変換手段と、
変換された前記文字列データを表示する文字列データ表示手段と、
を備えることを特徴とする表示装置。
【００１０】
（２）前記文字列変換手段は、数値とその数値が意味する状態を表す文字列の関係を定義する文字列変換テーブルを備えることを特徴とする（１）に記載の表示装置。
【００１１】
（３）前記文字列変換テーブルの定義内容をユーザが任意に定義する設定手段を備えることを特徴とする（２）に記載の表示装置。
【００１２】
（４）前記文字列変換テーブルは、前記外部機器より取得する、状態を表す文字列データを数値データに逆変換して前記数値データ格納／読み出し手段に渡すことを特徴とする（２）または（３）に記載の表示装置。
【００１３】
（５）前記文字列変換テーブルの定義データと前記数値データ格納／読み出し手段の数値データを取得して保存する、外部記憶装置を備えることを特徴とする（１）乃至（４）のいずれかに記載の表示装置。
【００１４】
（６）前記外部機器より取得する、波形情報を表示する波形表示手段を備えることを特徴とする（１）乃至（５）のいずれかに記載の表示装置。
【００１５】
（７）前記外部機器の状態を表す文字列データと前記波形情報を同一画面に表示することを特徴とする（６）に記載の表示装置。
【００１６】
（８）前記数値データ格納／読み出し手段または前記外部記憶装置からの読み出しデータに基づいて、過去の数値データ、文字列データ、波形情報の少なくともいずれかを表示することを特徴とする（５）乃至（７）のいずれかに記載の表示装置。
【発明の効果】
【００１７】
本発明の構成によれば、次のような効果を期待することができる。
（１）表示装置には取り込んだ文字列を、文字列の形態で表示できるので、状態を判別できる文字列（例えば、”RUN”や”STOP”など）で読み取ることができる。
【００１８】
（２）外部機器から数値として受け取った情報を、状態が判別できる文字列で表示できるように数値データで格納することにより、これを読み出して文字列変換し、画面には状態を表す文字列として表示することが可能となる。
【００１９】
（３）これにより、状態の変化を容易にグラフで表示することができると共に、現在の状態を文字列で表すことができるようになり、外部に接続した機器の状態を把握しやすくなる。
【００２０】
（４）記録計等では、外部に接続した機器からの状態情報の入力と共に、電圧や温度等の測定値をメモリに同時に格納することで、機器の状態と測定値を同時に表示することが可能となる。
【００２１】
（５）ユーザが任意に設定可能な文字列変換テーブルを持つことで、外部に接続した機器の状態を分かりやすい文字列で表示することが可能になる。さらに、機器の状態を文字列で出力する機器を外部に接続することも可能になる。
【００２２】
（６）メモリには状態を表す数値で格納することで、状態の遷移をトレンド波形で表示できるようになると共に、現在の状態を文字列で表示できるようになる。
【００２３】
（７）外部記憶装置にデータと一緒に文字列変換テーブルも保存することで、ＰＣ等でデータを参照する際にも、数値で格納された状態を本体での表示と同様に文字列として表示することが可能になる。
【発明を実施するための最良の形態】
【００２４】
以下、本発明を図面により詳細に説明する。図１は、本発明を適用した表示装置の一実施形態を示す機能ブロック図である。図７で説明した従来装置と同一要素には同一符号を付して説明を省略する。
【００２５】
従来装置に追加される本発明の構成上の特徴部の第１は、外部機器１の状態を表す数値データ１００を取得して数値データ格納／読み出し手段に取り込む機能と、取り込まれた数値データを読み出して変換する文字列変換手段２００を設けた点にある。
【００２６】
特徴部の第２は、変換された文字列データを表示する文字列データ表示手段３００及びを文字列変換手段２００が備える文字列変換テーブルの定義内容をユーザが自由に設定できる設定手段４００設けた点にある。
【００２７】
特徴部の第２は、数値データ格納／読み出し手段４からの数値データを用いて時間軸をX軸にとった波形の形で画面上に表示する、波形表示手段５００を設けた点にある。
【００２８】
図２は、文字列変換手段２００が備える文字列変換テーブルの一例を示す。機器の状態を表す数値“０”、“１”、“２”、“３”…に対応して状態を表す文字列”RUN”、”STOP”、”PAUSE”…が定義されている。これらの定義内容は、設定手段４００によりユーザが自由に設定することができる。
【００２９】
図３は、数値データ、文字列データ、波形を同時に表示する表示画面例である。現在時刻のおける数値データ（測定値）表示（Ａ）、状態”RUN”を表す文字列の表示（Ｂ）、所定期間前から現在時刻までの波形トレンドの表示（Ｃ）が同一画面に表示されている。
【００３０】
図４は、本発明を適用した表示装置の他の一実施形態を示す機能ブロック図である。この実施形態では、機器１の状態を表す文字列データ６００を取得する。文字列変換手段２００は、この文字列データ６００を、図３で説明した文字列変換テーブルを用いて数値データに逆変換し、数値データ格納／読み出し手段４に渡して格納保持する。逆変換後の数値の扱いは図１で説明した機能と同等である。
【００３１】
更に、この実施形態では、ＣＦカード等の外部記憶装置７００を設けている。数値データ格納／読み出し手段４で保持されている数値データ及び文字変換手段２００の文字列変換テーブル内容を転送して保持する。
【００３２】
文字列変換テーブルの定義内容を含む外部記憶装置７００の保持データは、ＰＣ等でそのデータを参照する際に、数値で格納された状態を本体での表示と同様に文字列として表示することが可能になる。
【００３３】
図５は、本発明を適用した表示装置の更に他の一実施形態を示す機能ブロック図である。
この実施形態では、数値データ格納／読み出し手段４で格納した数値データを元にして、過去にさかのぼってデータを確認できるように構成されている。
【００３４】
このとき、測定値を表す数値データは数値データ表示手段６を用いて表示し、状態を表す数値データは文字列変換手段２００を用いて文字列データに変換し文字列データ表示手段３００で状態を表す文字列として表示する。過去のデータは数値データ格納／読み出し手段４のデータだけでなく、外部記憶装置７００に保存されたデータであってもよい。
【００３５】
イーサネット（登録商標）やＲＳ２３２等のシリアル通信等を経由して外部のＰＣ等に数値データを出力するときにも、表示と同様の処理を行い、測定値を表す数字文字列と状態を表す文字列を同時に出力することができる。
【００３６】
図６は、文字列変換手段の他の例を示すテーブルである。文字列変換テーブルに表示色や表示方法、フォントの種類を加えても良い。これにより文字列だけでなく文字の表示色を状態により自由に変えることができて、異常状態等を容易に判別できるようになる。この文字列変換テーブルの例では、ＲＵＮ中は正常なので青色で点灯表示され、ＳＴＯＰ中は異常なので赤色で点滅表示される。
【００３７】
文字列変換テーブルに文字列の代わりにビットマップ等の図形イメージを登録できるようにしてもよい。これにより、文字列よりもオペレータにより分かりやすいイメージで画面に状態を表示できるようになる。
【００３８】
以上説明した実施形態では、文字列変換手段２００は文字列変換テーブルにより実現される構成を例示したが、プログラムによる変換アルゴリズムやアドレスを指定したメモリよりの呼び出し形態等、種々の手法を採用することができる。
【図面の簡単な説明】
【００３９】
【図１】本発明を適用した表示装置の一実施形態を示す機能ブロック図である。
【図２】文字列変換手段の一例を示す文字列変換テーブルである。
【図３】数値データ、文字列データ、波形を同時に表示する表示画面例である。
【図４】本発明を適用した表示装置の他の一実施形態を示す機能ブロック図である。
【図５】本発明を適用した表示装置の更に他の一実施形態を示す機能ブロック図である。
【図６】文字列変換手段の他の例を示すテーブルである。
【図７】従来の表示装置の構成例を示す機能ブロック図である。
【符号の説明】
【００４０】
１  外部機器
２  数値データ
３  数値を表す文字列データ
４  数値データ格納／読み出し手段
５  数値変換手段
６  数値データ表示手段
１００  状態を表す数値データ
２００  文字列変換手段
３００  文字列データ表示手段
４００  設定手段
５００  波形表示手段
【図１】
2009265817.tif 000003
【図２】
2009265817.tif 000004
【図４】
2009265817.tif 000005
【図５】
2009265817.tif 000006
【図６】
2009265817.tif 000007
【図７】
2009265817.tif 000008
【図３】
2009265817.tif 000009